(57)【要約】【課題】  従来のよだれかけは、赤ちゃんが這い這いの姿勢や、おすわりで前かがみになった時、また、うつ伏せ姿勢の時に、上手くよだれを受け取る事ができなかった。また、従来の食事用エプロンは、食事時専用で、食事以外の時に、食事用エプロン以外の通常使用するよだれかけとして兼用することがむずかしく、外出時などの持ち運びも不便だった。【解決手段】  図１に記したように、よだれかけの淵沿いに、１本ひもが通るように折り返して縫い、ひもを通して、よだれかけの一番下の部分になる所４で、ひもが動かなくなるように縫い、止める。ひもを両端から引っ張ると、あごの真下で器のような形になり、赤ちゃんがどんな格好をしても、常にあごの下によだれかけがあるので、いつも上手くよだれを受け止めることができる。また、そのような形になるので、食事用エプロンのかわりに食事用前掛けとしても兼用できる。【選択図】  図１
2006214070.tif 000002
【特許請求の範囲】
【請求項１】
図１に記したように、よだれかけの淵沿いに１本ひもが通るように折り返して縫い、ひもを通してよだれかけの一番下の部分となる点４でひもを動かなくなるように縫い、止める。そして、ひもを引っ張ると、あごの真下で器のような形になり、赤ちゃんが這い這い姿勢、おすわり姿勢、うつぶせ姿勢などでも、常にあごの下によだれかけがあるので、いつも上手くよだれを受け取れるよだれかけ。
【請求項２】
請求項１記載の形となるので、食事用前掛けとしても兼用できる請求項１記載のよだれかけ。
【請求項３】
よだれかけの淵沿いに通したひもの途中に、玉など、ストッパーとなる何らかの物をつけ、そのストッパーの所以上ひもが引っ張れないようにして、ひもの長さ調節を簡単にするとともに、ひもの引っ張りすぎにより、首が苦しくなるのを防止する請求項１記載のよだれかけ。
【請求項４】
よだれかけの淵沿いに通したひもがよだれかけの裏面から出てくる場所を、よだれかけの首の当たる部分の一番下部分、図１においての１から平行にいった所２及び３にすることにより、請求項３記載のストッパーをしているにも関わらず、ひもを引っ張りすぎた時に、首が苦しくならないようにした、請求項１記載のよだれかけ。
【請求項５】
よだれかけ全体を撥水加工を施した布製とし、プラスチック製と比べ、コンパクトなので、持ち運びするのに便利な請求項１記載のよだれかけ。
【請求項６】
よだれかけの淵沿いに通し、よだれかけの裏面から出たひもを図１記載の７ａ、７ｂの穴から表面に出して、ひもの長さ調節ができるストッパーをよだれかけの表面に付けることにより、ストッパーが当たる肩を痛くないようにするとともに、首の後ろで結ぶ時に、結びやすくするようにした請求項１記載のよだれかけ。
【請求項７】
図４に記したように、８ａと８ｂを直線で結んだ形にするのではなく、図１の８ａ、４、８ｂと結んだ形のよだれかけにすることにより、あご下の器状の部分が大きくなり、よだれをより受け取りやすくする請求項１記載のよだれかけ。
【発明の詳細な説明】
【技術分野】
【０００１】  本発明は、赤ちゃんのはいはい時、おすわり時、うつぶせ時、食事時などのよだれを上手く受け取るためのよだれかけに関する。
【背景技術】
【０００２】  従来のよだれかけは、布製で、首の後ろで止めて使うものである（例えば、非特許文献１参照。）。はいはい時用、おすわり時用、うつぶせ時用というものは、私が知る限り存在しない。食事エプロンには、エプロン全部がプラスチック製で、食べこぼしを受け止める器状になっているものがある（例えば、非特許文献２参照。）。また、布製のよだれかけの下部分にプラスチックせいの受け皿の付いたものもある（例えば、特許文献１参照。）。また、エプロン全部が布製で、胸にあたる部分にポケットが付いていて、そこで食べこぼしを受け止めるものもある（例えば、非特許文献３参照。）。
【特許文献１】  実用新案登録  ３０７５９１８
【非特許文献１】  「ＳｋｉｐＬａｎｄ  カタログＮｏ２０５２」株式会社レモール、２００５年，ｐ．６
【非特許文献２】  「ＳｋｉｐＬａｎｄ  カタログＮｏ２０５２」株式会社レモール、２００５年、ｐ．１１６
【非特許文献３】  （株）バンダイ  Ｃ−ＨＲ２１５３
【発明の開示】
【発明が解決しようとする課題】
【０００３】  以上に述べた従来のよだれかけでは、赤ちゃんがはいはい姿勢、おすわり姿勢で前かがみになった時、また、うつぶせ姿勢の時に、よだれを上手く受け取る事ができなかった。【０００４】  また、従来の食事エプロンは、食事時専用で、食事以外の時に、食事用エプロン以外の通常使用するよだれかけとして兼用することが難しく、外出などでの持ち運びも不便だったり、使い捨てタイプのものは、使用後ゴミが出るので、環境に悪く、経済面にも良くなかった。【０００５】  本発明は、このような従来のよだれかけが有していた問題を解決しようとするものであり、赤ちゃんが這い這い姿勢、おすわり、うつぶせ姿勢でも、常によだれを上手く受け取り、また、食事用前掛けとしても兼用できるよだれかけを実現することを目的とするものである。
【課題を解決するための手段】
【０００６】  図１に記したように、よだれかけの淵沿いに、１本ひもが通るように折り返して縫い、ひもを通して、よだれかけの一番下の部分の所４で、ひもが動かなくなるように縫い、止める。ひもを両端から引っ張ると、あごの真下で器のような形になり、赤ちゃんがどんな格好をしていても常にあごの下によだれかけがあるので、いつも上手くよだれを受け取れる。【０００７】  また、そのような形になるため、食事用前掛けとしても兼用できる。
【発明の効果】
【０００８】  上述したように、本発明のよだれかけは、赤ちゃんのはいはい時、おすわり時、うつぶせ時にも常によだれを上手く受け取れるとともに、食事用前掛けとしても兼用でき、便利なよだれかけを提供できる。
【発明を実施するための最良の形態】
【０００９】  以下、本発明の実施の形態を図１〜図４に基ずいて、説明する。【００１０】  図３の従来のよだれかけの首にあたる部分の一番下の部分、図１においての１から、よだれかけの淵に向かって平行にいった場所に２及び３がある。その、２から３まで、淵沿いに、１本ひもが通るように折り返して縫い、ひもを通して、よだれかけの一番下の部分４で、ひもが動かなくなるように縫い、止める。【００１１】  そして、２，３でよだれかけの裏面から出たひもを、２から４、３から４が、きんちゃく袋の口を絞ったようになるように引っ張り、ひもを７ａ，７ｂの穴からよだれかけの表面に出し、ひもの長さ調節のできるストッパーで止め、首の後ろで縛ると、５の部分があごの真下で器のような形になる。【００１２】  そのため、赤ちゃんがどんな格好をしても、よだれかけがあごの真下に来るため、よだれを常に上手く受け取る事ができる。【００１３】  また、２から４、３から４の途中には、玉など、ストッパーとなる何らかな物を付け、ひもを引っ張りすぎて首が苦しくなることを防止する。【００１４】  そして、よだれかけの淵沿いに通したひもがよだれかけの裏面から出てくる場所を、よだれかけの首にあたる部分の一番下の部分、図１においての１から平行にいった所２及び３にすることにより、ストッパー６ａ、６ｂをしているにも関わらず、もし、ひもを引っ張りすぎた時に首が苦しくなることを防止する。【００１５】  また、よだれかけの淵沿いに通し、よだれかけの裏面から出たひもを、図１記載の７ａ、７ｂの穴から表面に出して、ひもの長さを調節できるストッパーをよだれかけの表面に付けることにより、ストッパーがあたる肩が痛くならないようにするとともに、首の後ろで結びやすくする。【００１６】  よだれかけ全体を、撥水加工を施した布製とし、よだれの吸収を良くする。【００１７】  また、図４のように８ａと８ｂを直線とした形にするのではなく、図１の８ａ、４、８ｂと結んだ形のよだれかけにすることにより、あご下にくる器状の５の部分が大きくなり、よだれをより受け取りやすくする。【００１８】  このよだれかけならば、ひもを引っ張っていない状態なら通常のよだれかけとして、そして、ひもを引っ張った状態なら、這い這い姿勢、おすわり、うつ伏せ姿勢の時に使用でき、また食事用前掛けとしても使用できる。
【図面の簡単な説明】
【００１９】
【図１】  本発明におけるよだれかけの正面図
【図２】  同よだれかけのひもを引っ張った状態の図
【図３】  従来のよだれかけの正面図
【図４】  図１のよだれかけの形にする理由を説明するために用いた例えのよだれかけの正面図
【符号の説明】
【００２０】      １  よだれかけに首があたる部分の一番下のところ
２及び３  １からよだれかけの淵に向かって平行にいったところ
４  よだれかけの一番下のところ
５  ひもを引っ張った時、器状になるところ
６ａ及び６ｂ  ストッパー
７ａ及び７ｂ  ひもを表面に出すための穴
８ａ及び８ｂ  例えのよだれかけの下の角
【図１】
2006214070.tif 000003
【図２】
2006214070.tif 000004
【図３】
2006214070.tif 000005
【図４】
2006214070.tif 000006